(57)【要約】【課題】従来の浴室用のゴミ入れは洗い場にゴミ箱を置いて使用していたので場所をとり、入浴する度に水や湯がかかり、その内黒カビが発生する。又、抜け落ちた髪の毛は排水口に溜まり、それを手の指でつかんでゴミ箱に捨てていた。【解決手段】吸着盤を使い壁面にゴミ袋を取り付けて使うものであり、ゴミを入れる袋の部分にはネット生地を用いて風通しをよくし、黒カビの発生を抑え、抜け落ちた髪の毛はピンセットでつかんでゴミ袋に捨てられ、使用時は着脱自在のゴミ入れの枠をほぼ水平に保ち、不使用時は上方に折りたたんで固定させ、洗い場を少しでも広く使えるようにした。【選択図】図１
2006321654.tif 000002
【特許請求の範囲】
【請求項１】
背面に吸着盤を設けた基板の前面下部に折曲可能部を取り付け、その折曲可能部には両端を閉塞した挿入口を作り、その挿入口にゴミ袋の開口部の枠に取り付けた挿入片を着脱自在に係止させ、ゴミ袋の枠をほぼ水平位置から上方向に回動可能にし、基板の上部にゴミ袋の枠を固定するための引掛け部を設けたことを特徴とする風呂場用のゴミ入れ。
【請求項２】
基板の左右又はいずれか一方にピンセットの引掛け部を設けた請求項１記載の風呂場用のゴミ入れ。
【発明の詳細な説明】
【技術分野】
【０００１】  本発明は、風呂場の壁面に吸着盤で取り付けたゴミ入れに関する。
【背景技術】
【０００２】  風呂場でのゴミとして、抜け落ちた髪の毛、入浴剤の袋、サンプル用シャンプー、リンスの袋等があり、従来の風呂場用のゴミ入れは合成樹脂製の箱型等で据え置き型のため、床面の場所を必要とする。その上、捨てたゴミの乾きが悪く、又、角の方に置いて使用するので壁面に面している部分に黒カビが付着する事もある。【０００３】  抜け落ちた髪の毛が排水口に溜まり、それを手の指でつかんでゴミ箱に捨てる。又は、排水口の上に髪の毛とりを貼り付けておき、使用後は髪の毛と一緒に捨てる。これは、毎回用意して貼り付ける。
【発明の開示】
【発明が解決しようとする課題】
【０００４】  以上に述べたように、従来の風呂場用のゴミ入れは不便を感じていた。本発明はこれらの問題を解決し、便利で使い勝手の良い風呂場用のゴミ入れを提供することを目的とするものである。
【課題を解決するための手段】
【０００５】  本発明は上記の目的を達成するために、風呂場の壁面に吸着盤で取り付けるものであり背面に吸着盤を設けた基板の前面下部に丁番を取り付け、その丁番には両端を閉塞した挿入口を作り、その挿入口の中に、ゴミ袋の開口部の枠に取り付けた挿入片を着脱自在に係止させ、さらに、基板の上部に引掛け部を設けたことを特徴とする。【０００６】  ゴミを入れる袋の部分には、ネット生地を使用して水切り、風通しを良くして、黒カビの発生を抑えた。【０００７】  抜け落ちた髪の毛は排水口に溜まるが、付属のピンセットを使えば手の指を汚さないで取り除き、ゴミ袋に捨てることが出来る。【０００８】  翌日掃除をする時には、溜まったゴミは既に乾いているし、ゴミ袋の開口部の枠の両端を上に持ち上げれば挿入口から外れ、風呂場外のゴミ箱に捨てることが出来る。又、装着は上から挿入口にはめ込むだけで簡単に固定が出来る。
【発明の効果】
【０００９】  上述したように本発明の風呂場用のゴミ入れは、壁面に取り付けるために床面の場所をとらず、ゴミの水切りもよく黒カビが発生しにくい。不要時は折りたたんでおけばより邪魔にならない。そして、抜け落ちた髪の毛は付属のピンセットを使えば手の指を汚すことなく取り除ける。ピンセット掛け部を左右に取り付けた場合、設置場所により使い勝手の良い方が選択できる。翌日、掃除をする時は、袋に溜まったゴミは既に乾いている状態なのでゴミ袋を簡単に取り外し、風呂場外のゴミ箱までしずくがたれ落ちることなく捨てられる。ゴミ袋を壁に装着する時も上から挿入口に差し込むだけで多くの効果を得ることが出来る。
【発明を実施するための最良の形態】
【００１０】  以下、本発明の実施の形態を図１〜図９に基づいて説明する。
【実施例１】
【００１１】  図１は風呂場用のゴミ入れを前面から見た斜視図である。基板１の前面下部にゴミ袋の枠８の挿入片１３を着脱可能に挿入して、ゴミ袋１０をセットするものである。この図面ではゴミ袋の枠８に設けた挿入片１３は下向に折曲げた形状にしており、この挿入片１３を挿入口１４に挿入し、不使用時にはゴミ袋の枠８をほぼ水平方向から上方に折り上げ、基板１の前面上部に設けた引掛け部３に引掛けて、邪魔にならないように壁の方に当接させておく。上記のように折り上げるために挿入口１４は丁番７を介して基板１に取り付けている。ゴミ袋の枠８には取っ手９を設けている。図面では基板１の両端を折り曲げてピンセット１１の引掛け部６を形成したが、どちらか一方でもよい。又、別体のフックを取り付けてもよい。図９に例示したように切欠部１７を設けてもよい。この場合はピンセットの厚み分を考慮して引掛け部６と壁面１２の間隔をあけるようにすればよい。【００１２】図２はゴミ袋１０を壁面１２に取り付けた状態の側面図である。図３は、図２の開口部の枠８の前面中央を持ち上げて引掛け部３に係止させ、折りたたんだ状態の側面図である。図４に示す吸着盤は壁面１２に吸着する傘状の部分４とその背面に設けた取り付け部分５とからなる。取り付け部分５の周面を四角にして基板１の横ぶれを防いだ。この取り付け部分５は四角柱に形成してもよいが、従来の円柱に四角形の枠を嵌めてもよい。又、図８のように、円柱の吸盤２個を使えばよりしっかり固定できる。【００１３】  図５は基板１の裏面に設けた吸着盤に取り付けるための枠２を例示している。枠２は板体の下方を切り欠いた形状で基板１の裏面に取り付け、切欠部２ａを吸着盤の取り付け部分５にスライドして止めると、基板１の端部は壁面１２に当接して基板１を固定することが出来る。その時、基板１が装着しやすいように枠２の下方切欠部２ａを広くした。【００１４】  図６は、基板１の下方に丁番７が取り付けてあり、その前面に両端を閉塞した挿入口１４がある。ゴミ袋１０はネット生地を使い、上部の開口部は楕円形の枠８を有し、この枠８に挿入片１３を設け、基板前面の挿入口１４にはめ込みゴミ袋部分を基板１に装着する。挿入口１４は、透孔に形成したものを図示しているが、凹部に形成してもよい。凹部の場合はゴミが溜まりやすいので図示のように透孔であれば、ゴミ除去が容易であるから好ましい。
【実施例２】
【００１５】  図１では折曲可能部を丁番７を使用した場合を例示したが、その部分を肉薄に形成して、ヒンジ加工を施してもよい。その場合は、ゴミ袋の枠８がほぼ水平位置を保持するために基板１の下方に突出部を設けておけばよい。
【実施例３】
【００１６】  図７で説明した基板１に取り付けている丁番７の代わりに基板１の下方に透孔１５をあけ、そこにゴミ袋の枠８に設けた上向に折曲した挿入片１６をはめこみ、ゴミ袋１０を取り付けるものである。
【図面の簡単な説明】
【００１７】
【図１】本発明の実施形態を示す斜視図である。
【図２】本発明の実施形態を示す側面図である。
【図３】壁面に基板とゴミ袋を取り付けて、上方に折りたたんだ場合の側面図である。
【図４】ゴミ袋を基板１に取り付ける状態を示す側面図である。
【図５】基板１の裏面に設けた吸着盤に取り付けるための枠２を例示している。
【図６】基板１に取り付ける要部を示す斜視図である。
【図７】図１の丁番７の代わりに基盤１に透孔１５をあけ、ゴミ袋１０を装着する斜視図である。
【図８】吸着盤の取り付け部５を円柱に形成した場合で、吸着盤を２個設けた場合を例示した裏面から見た図である。
【図９】基板の下方両横に切欠部を設けたピンセント掛け部を示す斜視図である。
【符号の説明】
【００１８】１      基板
２      基板の裏面に設けた吸着盤に取り付けるための枠
３      ゴミ袋を折りたたんだ時に止める引掛け部
４      吸着盤の傘状部分
５      吸着盤の傘状部分の背面に設けた取付部
６      ピンセット引掛け部
７      丁番
８      ゴミ袋の枠
９      ゴミ袋の取っ手
１０    ゴミ袋
１２    壁面
１３    ゴミ袋の枠に取り付けた挿入片
１４    基板前面の挿入口
【図１】
2006321654.tif 000003
【図２】
2006321654.tif 000004
【図３】
2006321654.tif 000005
【図４】
2006321654.tif 000006
【図５】
2006321654.tif 000007
【図６】
2006321654.tif 000008
【図７】
2006321654.tif 000009
【図８】
2006321654.tif 000010
【図９】
2006321654.tif 000011